(57)【要約】【課題】電極を構成する各部品をモジュール化して、電極を含む部品の着脱を容易にした電磁流量計を提供する。【解決手段】測定流体が内部に流れる測定管と、測定管の電極取付穴部に一端側が挿入され一端が測定流体に接し途中に鍔部が設けられた柱状の電極と、この電極に挿入されて前記鍔部の一方の面に一方の面が接し側部が前記測定管に係合する電極キャップと、前記電極に設けられこの電極キャップが前記電極の軸方向に脱するのを係止する係止手段とを具備したことを特徴とする電磁流量計である。【選択図】        図１
2004163193.tif 000002
【特許請求の範囲】
【請求項１】
測定流体が内部に流れる測定管と、
測定管の電極取付穴部に一端側が挿入され一端が測定流体に接し途中に鍔部が設けられた柱状の電極と、
この電極に挿入されて前記鍔部の一方の面に一方の面が接し側部が前記測定管に係合する電極キャップと、
前記電極に設けられこの電極キャップが前記電極の軸方向に脱するのを係止する係止手段と
を具備したことを特徴とする電磁流量計。
【請求項２】
測定流体が内部に流れる測定管と、
測定管の電極取付穴部に一端側が挿入され一端が測定流体に接し途中に鍔部が設けられた柱状の電極と、
この電極に挿入されて一端が前記鍔部に接しこの電極を電極の軸方向に押圧する弾性体と、
前記電極に挿入されてこの弾性体の他方端に一方の面が接する底部と前記測定管に係合するリング状の側部とを有する電極キャップと、
前記電極に設けられこの電極キャップが前記電極の軸方向に脱するのを係止する係止手段と
を具備したことを特徴とする電磁流量計。
【請求項３】
測定流体が内部に流れる測定管と、
この測定管の内壁面部と電極取付穴部を通じて電極取付穴周辺部の外壁面上までライニングされたライニング体と、
前記ライニング体の電極取付穴周辺部を囲んでリング状に前記測定管の外壁に設けられたボスと、
電極取付穴部に一端側が挿入され途中に設けられた鍔部の一方の面が前記ライニング体の電極取付穴周辺部に接する柱状の電極と、
この電極の外周面に挿入され前記鍔部の他方の面に一方の面が接して設けられた絶縁ワッシャーと、
前記電極の他方端側に挿入され一方端がこの絶縁ワッシャーに接する筒状の絶縁リングと、
前記絶縁リングの外周面に挿入され前記絶縁ワッシャーの他方の面に一方の面が接し側部が前記ボスの内壁に係合する電極キャップと、
前記絶縁リングの他方端に設けられこの電極キャップが前記電極の軸方向に脱するのを係止する係止手段と
を具備したことを特徴とする電磁流量計。
【請求項４】
測定流体が内部に流れる測定管と、
この測定管の内壁面部と電極取付穴部を通じて電極取付穴周辺部の外壁面上までライニングされたライニング体と、
前記ライニング体の電極取付穴周辺部を囲んでリング状に前記測定管の外壁に設けられたボスと、
電極取付穴部に一端側が挿入され途中に設けられた鍔部の一方の面が前記ライニング体の電極取付穴周辺部に接する柱状の電極と、
この電極の外周面に挿入され前記鍔部の他方の面に一方の面が接して設けられた絶縁ワッシャーと、
前記電極の他方端側に挿入され一方端がこの絶縁ワッシャーに接する筒状の絶縁リングと、
この絶縁リングの外周面に挿入され一方端が前記絶縁ワッシャーに接し前記電極を電極の軸方向に押圧する弾性体と、
前記絶縁リングの外周面に挿入されこのコイルスプリングの他方端に一方の面が接する底部と前記ボスの内壁に係合するリング状の側部とを有する電極キャップと、
前記絶縁リングの他方端に設けられこの電極キャップが前記電極の軸方向に脱するのを係止する係止手段と
を具備したことを特徴とする電磁流量計。
【請求項５】
前記係止手段として、
前記電極に挿入され前記電極キャップの他方の面に一方の面が接するワッシャと、
前記電極の他端側に設けられこのワッシャが前記電極の軸方向に脱するのを係止するＥ形止め輪と
を具備したことを特徴とする請求項１乃至請求項４の何れかに記載の電磁流量計。
【請求項６】
前記係止手段として、
前記絶縁リングの他方端に設けられ前記電極キャップが前記電極の軸方向に脱するのを係止する突起部と、
前記電極の他端側に設けられ前記絶縁リングが前記電極の軸方向に脱するのを係止するＥ形止め輪と
を具備したことを特徴とする請求項３又は請求項４記載の電磁流量計。
【請求項７】
絶縁ワッシャーとして、
前記電極の外周面に沿ってリング状に設けられた凸部
を具備したことを特徴とする請求項３又は請求項４記載の電磁流量計。
【請求項８】
前記弾性体として、
コイルスプリングが使用されたこと
を特徴とする請求項２又は請求項４記載の電磁流量計。
【発明の詳細な説明】
【０００１】
【発明の属する技術分野】
本発明は、電極を構成する各部品をモジュール化して、電極を含む部品の着脱を容易にした電磁流量計に関するものである。
【０００２】
【従来の技術】
図３は、従来より一般に使用されている従来例の構成説明図で、例えば、特開２００２−１３９３５５号に示されている（例えば、特許文献１参照。）。
図において、１は測定管、２は測定管１に設けられたライニング体である。
【０００３】
３はライニング体２に設けられた接液電極である。
４は接液電極３の上部を覆う絶縁材の絶縁キャップである。
５は接液電極３の取り付け穴の周囲の測定管１に設けられたボスである。
【０００４】
６は電極キャップで、ボス５と接液電極室７を構成する。
８は接液電極室７内の電極キャップ６と絶縁キャップ４との間に設けられ、接液電極３をライニング体２に押圧するばねである。
【０００５】
以上の構成において、接液電極３は、ばね８により、ライニング体２に押圧固定され、接液電極３の測定流体ＦＬに対するシールが保たれる。
【０００６】
【特許文献１】
特開２００２−１３９３５５号（第２頁、図３）
【０００７】
【発明が解決しようとする課題】
しかしながら、このような装置においては、以下の間題点がある。
電極を含めた各部品が独立した構造となっているため、電極が簡単に交換できず、取り外すと、各部品がバラバラになってしまい、現場においては、部品紛失等の問題が発生する。
【０００８】
本発明の目的は、上記の課題を解決するもので、電極部分のモジュール化により、電極の着脱の際に、電極が簡単に交換でき、取り外す際に、各部品がバラバラにならず、現場において、部品紛失等の問題の発生を防止できる電磁流量計を提供することにある。
【０００９】
【課題を解決するための手段】
このような目的を達成するために、本発明では、請求項１記載の電磁流量計においては、
測定流体が内部に流れる測定管と、測定管の電極取付穴部に一端側が挿入され一端が測定流体に接し途中に鍔部が設けられた柱状の電極と、この電極に挿入されて前記鍔部の一方の面に一方の面が接し側部が前記測定管に係合する電極キャップと、前記電極に設けられこの電極キャップが前記電極の軸方向に脱するのを係止する係止手段とを具備したことを特徴とする。
【００１０】
本発明の請求項２記載の電磁流量計においては、
測定流体が内部に流れる測定管と、測定管の電極取付穴部に一端側が挿入され一端が測定流体に接し途中に鍔部が設けられた柱状の電極と、この電極に挿入されて一端が前記鍔部に接しこの電極を電極の軸方向に押圧する弾性体と、前記電極に挿入されてこの弾性体の他方端に一方の面が接する底部と前記測定管に係合するリング状の側部とを有する電極キャップと、前記電極に設けられこの電極キャップが前記電極の軸方向に脱するのを係止する係止手段とを具備したことを特徴とする。
【００１１】
本発明の請求項３記載の電磁流量計においては、
測定流体が内部に流れる測定管と、この測定管の内壁面部と電極取付穴部を通じて電極取付穴周辺部の外壁面上までライニングされたライニング体と、前記ライニング体の電極取付穴周辺部を囲んでリング状に前記測定管の外壁に設けられたボスと、電極取付穴部に一端側が挿入され途中に設けられた鍔部の一方の面が前記ライニング体の電極取付穴周辺部に接する柱状の電極と、この電極の外周面に挿入され前記鍔部の他方の面に一方の面が接して設けられた絶縁ワッシャーと、前記電極の他方端側に挿入され一方端がこの絶縁ワッシャーに接する筒状の絶縁リングと、前記絶縁リングの外周面に挿入され前記絶縁ワッシャーの他方の面に一方の面が接し側部が前記ボスの内壁に係合する電極キャップとを具備したことを特徴とする。
【００１２】
本発明の請求項４記載の電磁流量計においては、
測定流体が内部に流れる測定管と、この測定管の内壁面部と電極取付穴部を通じて電極取付穴周辺部の外壁面上までライニングされたライニング体と、前記ライニング体の電極取付穴周辺部を囲んでリング状に前記測定管の外壁に設けられたボスと、電極取付穴部に一端側が挿入され途中に設けられた鍔部の一方の面が前記ライニング体の電極取付穴周辺部に接する柱状の電極と、この電極の外周面に挿入され前記鍔部の他方の面に一方の面が接して設けられた絶縁ワッシャーと、前記電極の他方端側に挿入され一方端がこの絶縁ワッシャーに接する筒状の絶縁リングと、この絶縁リングの外周面に挿入され一方端が前記絶縁ワッシャーに接し前記電極を電極の軸方向に押圧する弾性体と、前記絶縁リングの外周面に挿入されこのコイルスプリングの他方端に一方の面が接する底部と前記ボスの内壁に係合するリング状の側部とを有する電極キャップと、前記絶縁リングの他方端に設けられこの電極キャップが前記電極の軸方向に脱するのを係止する係止手段とを具備したことを特徴とする。
【００１３】
本発明の請求項５においては、請求項１乃至請求項４の何れかに記載の電磁流量計において、
前記係止手段として、前記電極に挿入され前記電極キャップの他方の面に一方の面が接するワッシャと、前記電極の他端側に設けられこのワッシャが前記電極の軸方向に脱するのを係止するＥ形止め輪とを具備したことを特徴とする。
【００１４】
本発明の請求項６においては、請求項３又は請求項４記載の電磁流量計において、
前記係止手段として、前記絶縁リングの他方端に設けられ前記電極キャップが前記電極の軸方向に脱するのを係止する突起部と、前記電極の他端側に設けられ前記絶縁リングが前記電極の軸方向に脱するのを係止するＥ形止め輪とを具備したことを特徴とする。
【００１５】
本発明の請求項７においては、請求項３又は請求項４記載の電磁流量計において、
絶縁ワッシャーとして、前記電極の外周面に沿ってリング状に設けられた凸部を具備したことを特徴とする。
【００１６】
本発明の請求項８においては、請求項２又は請求項４記載の電磁流量計において、
前記弾性体として、コイルスプリングが使用されたことを特徴とする。
【００１７】
【発明の実施の形態】
以下図面を用いて本発明を詳しく説明する。
図１は本発明の一実施例の要部構成説明図である。
図において、図３と同一記号の構成は同一機能を表す。
以下、図３と相違部分のみ説明する。
【００１８】
測定管１１には、測定流体ＦＬが内部に流れる．
ライニング体１２は、測定管１１の内壁面部と電極取付穴部を通じて電極取付穴周辺部の外壁面上までライニングされている。
【００１９】
ボス１３は、ライニング体１２の電極取付穴周辺部を囲んでリング状に、測定管１１の外壁に設けられている。
柱状の電極１４は、電極取付穴部に一端側が挿入され、途中に設けられた鍔部１４１の一方の面が、ライニング体１２の電極取付穴周辺部に接する。
【００２０】
絶縁ワッシャー１５は、電極１４の外周面に挿入され、鍔部１４１の他方の面に一方の面が接して設けられている。
なお、この場合は、絶縁ワッシャーには、電極１４の外周面に沿ってリング状に設けられた凸部１５１を有している。
【００２１】
筒状の絶縁リング１６は、電極１４の他方端側に挿入され、一方端が絶縁ワッシャー１５に接する。
電極キャップ１７は、絶縁リング１６の外周面に挿入され、絶縁ワッシャー１５の他方の面に一方の面が接し、側部１７１がボス１３の内壁に係合する。
【００２２】
係止手段１８は、絶縁リング１６の他方端に設けられ、電極キャップ１７が電極１４の軸方向に脱するのを係止する。
この場合は、係止手段１８として、突起部１８１とＥ形止め輪１８２とよりなる。
【００２３】
突起部１８１は、絶縁リング１６の他方端に設けられ、電極キャップ１７が電極１４の軸方向に脱するのを係止する。
Ｅ形止め輪１８２は、電極１４の他端側に設けられ、絶縁リング１６が電極１４の軸方向に脱するのを係止する。
【００２４】
なお、突起部１８１の代わりに、抜け止め用のワッシャが使用されても良いことは勿論である。
電極カバー１９は、ボス１３に取り付けられている。
【００２５】
以上の構成において、図１に示す如く、電極１４に、絶縁ワッシャー１５、電極キャップ１７を取り付け、突起部１８１．が設けられた絶縁リング１６を図の右側から取り付け、Ｅ形止め輪１８２で止める。
このモジュールを．ライニング体１２に取り付ける。
【００２６】
この結果、
（１）絶縁リング１６に突起部１８１があるため、各部品が取り付いた状態で、電極１４にＥ形止め輪１８２を固定することにより、その間にある部品（絶縁ワッシャー１５、絶縁リング１６、電極キャップ１７）は、電極キャップ１７をゆるめて、電極１４を外す状態にしても各部品がバラバラにならない。
【００２７】
このモジュール状態になった電極ユニットにより、配管された状態でも電極１４を容易に取り付け、取り外しすることが可能となる電磁流量計が得られる。
【００２８】
（２）部品数が少ないためコストも安く、組立性も容易となる電磁流量計が得られる。
（３）部品がバラバラにならないため、現場での部品紛失等の問題もなくなる電磁流量計が得られる。
【００２９】
なお、本実施例は、弾性力の強いライニング体１２（例えばゴム）の場合に．、電極キャップ１７で電極１４を押しつけるのに好適な構造である。
【００３０】
図２は、本発明の他の実施例の要部構成説明図である。
本実施例においては、電極キャップ２１と絶縁ワッシャー１５との間に、弾性体としての、コイルスプリング２２が設けられた電磁流量計である。
【００３１】
なお、電極キャップ２１は、絶縁リング１６の外周面に挿入され、コイルスプリング２２の他方端に一方の面が接する底部２１１と、ボス１３の内壁に係合するリング状の側部２１２とを有する。
【００３２】
コイルスプリング２２が設けられたので、ライニング体１２と電極１４とのシールが確実に確保できる電磁流量計が得られる。
【００３３】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３４】
【発明の効果】
以上説明したように、本発明の請求項１によれば、次のような効果がある。
（１）各部品が取り付いた状態で、電極に係止手段が設けられたので、その間にある部品の電極キャップは、電極キャップをゆるめて、電極を外す状態にしても各部品がバラバラにならない。
【００３５】
このモジュール状態になった電極ユニットにより、配管された状態でも電極を容易に取り付け、取り外しすることが可能となる電磁流量計が得られる。
【００３６】
（２）部品数が少ないためコストも安く、組立性も容易となる電磁流量計が得られる。
（３）部品がバラバラにならないため、現場での部品紛失等の問題もなくなる電磁流量計が得られる。
【００３７】
本発明の請求項２によれば、次のような効果がある。
（１）各部品が取り付いた状態で、電極に係止手段が設けられたので、その間にある部品の電極キャップと弾性体とは、電極キャップをゆるめて、電極を外す状態にしても各部品がバラバラにならない。
【００３８】
このモジュール状態になった電極ユニットにより、配管された状態でも電極を容易に取り付け、取り外しすることが可能となる電磁流量計が得られる。
【００３９】
（２）部品数が少ないためコストも安く、組立性も容易となる電磁流量計が得られる。
（３）部品がバラバラにならないため、現場での部品紛失等の問題もなくなる電磁流量計が得られる。
【００４０】
本発明の請求項３によれば、次のような効果がある。
（１）各部品が取り付いた状態で、電極に係止手段が設けられたので、その間にある部品の絶縁ワッシャー、絶縁リング、電極キャップは、電極キャップをゆるめて、電極を外す状態にしても各部品がバラバラにならない。
【００４１】
このモジュール状態になった電極ユニットにより、配管された状態でも電極を容易に取り付け、取り外しすることが可能となる電磁流量計が得られる。
【００４２】
（２）部品数が少ないためコストも安く、組立性も容易となる電磁流量計が得られる。
（３）部品がバラバラにならないため、現場での部品紛失等の問題もなくなる電磁流量計が得られる。
【００４３】
本発明の請求項４によれば、次のような効果がある。
（１）各部品が取り付いた状態で、電極に係止手段が設けられたので、その間にある部品の絶縁ワッシャー、絶縁リング、弾性体、電極キャップは、電極キャップをゆるめて、電極を外す状態にしても各部品がバラバラにならない。
【００４４】
このモジュール状態になった電極ユニットにより、配管された状態でも電極を容易に取り付け、取り外しすることが可能となる電磁流量計が得られる。
【００４５】
（２）部品数が少ないためコストも安く、組立性も容易となる電磁流量計が得られる。
（３）部品がバラバラにならないため、現場での部品紛失等の問題もなくなる電磁流量計が得られる。
【００４６】
本発明の請求項５によれば、次のような効果がある。
ワッシャが使用されたので、コストを安価に出来る電磁流量計が得られる。
【００４７】
本発明の請求項６によれば、次のような効果がある。
絶縁リングの他方端に設けられ、電極キャップが電極の軸方向に脱するのを係止する突起部が設けられたので、部品点数が低減でき、係止も確実に得られる電磁流量計が得られる。
【００４８】
本発明の請求項７によれば、次のような効果がある。
絶縁ワッシャーとして、電極の外周面に沿ってリング状に設けられた凸部が設けられたので、絶縁が確実に確保できる電磁流量計が得られる。
【００４９】
本発明の請求項８によれば、次のような効果がある。
コイルスプリングが設けられたので、ライニング体と電極とのシールが確実に確保でき、信頼性が高い電磁流量計が得られる。
また、コイルスプリングが設けられたので、弾性の耐久性が容易に確保できる電磁流量計が得られる。
【００５０】
従って、本発明によれば、電極を構成する各部品をモジュール化して、電極を含む部品の着脱を容易にした電磁流量計を実現することが出来る。
【図面の簡単な説明】
【図１】本発明の一実施例の要部構成説明図である。
【図２】本発明の他の実施例の要部構成説明図である。
【図３】従来より一般に使用されている従来例の要部構成説明図である。
【符号の説明】
１１    測定管
１２    ライニング体
１３    ボス
１４    電極
１４１  鍔部
１５    絶縁ワッシャー
１５１  凸部
１６    絶縁リング
１７    電極キャップ
１７１  側部
１８    係止手段
１８１  突起部
１８２  Ｅ形止め輪
１９    電極カバー
２１    電極キャップ
２１１  底部
２１２  側部
２２    コイルスプリング
ＦＬ    測定流体
【図１】
2004163193.tif 000003
【図２】
2004163193.tif 000004
【図３】
2004163193.tif 000005